(57)【要約】【課題】従業員の健康診断受診の管理作業等を簡単に実施することができる健康診断予約管理システム及び健康診断管理センタ機器と健康診断受診者端末並びにコンピュータ・ソフトウエアを提供する。【解決手段】健康診断管理センタ機器１と、受診予約情報を格納するＤＢ機器２と、健康診断受診者端末４とを備え、これらの機器とネットワーク回線７を介して接続した健康診断実施機関機器３等とで健康診断予約情報を送受信する健康診断予約管理システムにおいて、健康診断管理センタ機器１は、健康診断実施機関機器３から送信された健康診断日程情報を元に健康診断受診者端末に受診予約募集情報を送信する機能と、健康診断受診者端末４からの予約変更希望情報を受信する機能とを有し、ＤＢ機器２は、健康診断管理センタ機器１が受信した予約変更希望情報を元に受診予約情報を変更する機能を有する。【選択図】        図１
2004246594.tif 000002
【特許請求の範囲】
【請求項１】
健康診断管理センタ機器と、受診予約情報を格納するＤＢ機器と、健康診断受診者端末とを備え、これらの機器とネットワーク回線を介して接続した健康診断実施機関機器等とで健康診断予約情報を送受信する健康診断予約管理システムにおいて、
前記健康診断管理センタ機器は、健康診断実施機関機器から送信された健康診断日程情報を元に健康診断受診者端末に受診予約募集情報を送信する機能と、健康診断受診者端末からの予約変更希望情報を受信する機能とを有し、前記ＤＢ機器は、健康診断管理センタ機器が受信した予約変更希望情報を元に受診予約情報を変更する機能を有することを特徴とする健康診断予約管理システム。
【請求項２】
請求項１記載の健康診断予約管理システムにおいて、
上記健康診断管理センタ機器は、健康診断日程を管理する機能と、予め定められた期日になると健康診断受診者への問診表／検診機材の送付を指示する機能と、健康診断実施機関のオプション案内を送信する機能とを有することを特徴とする健康診断予約管理システム。
【請求項３】
請求項１又は２に記載の健康診断予約管理システムにおいて、
上記健康診断管理センタ機器は、健康診断申込み期限が近づくと予約状況を確認し、未予約者を抽出し、健康診断受診者端末と受診者上長機器に予約未実施である旨の警告を送信する機能を有することを特徴とする健康診断予約管理システム。
【請求項４】
請求項１〜３のいずれか１項に記載の健康診断予約管理システムにおいて、
上記健康診断管理センタ機器は、健康診断受診者端末から日程の変更要求を受信すると、ＤＢ機器から受取った空き情報を当該健康診断受診者端末に送信する機能を有することを特徴とする健康診断予約管理システム。
【請求項５】
請求項１〜４のいずれか１項に記載の健康診断予約管理システムにおいて、
上記健康診断管理センタ機器は、健康診断実施機関機器から健康診断受診状況情報を受信する機能と、当日受診しなかった対象者情報を健康診断管理者機器に送信する機能を有することを特徴とする健康診断予約管理システム。
【請求項６】
請求項５記載の健康診断予約管理システムにおいて、
上記健康診断管理者機器は、当日受診しなかった対象者の上長を検索し当該受診者上長機器に警告を送信する機能を有することを特徴とする健康診断予約管理システム。
【請求項７】
請求項１〜６のいずれか１項に記載の健康診断予約管理システムにおいて、
上記健康診断管理センタ機器は、健康診断実施機関機器からの健康診断受診料金請求情報を受信する機能を有することを特徴とする健康診断予約管理システム。
【請求項８】
請求項１〜７のいずれか１項に記載の健康診断予約管理システムにおいて、
上記健康診断受診者端末は、健康診断管理センタ機器から送信された健康診断受診者の受診日程情報を表示する機能と、受診に都合の悪い場合は健康診断管理センタ機器に受診日程の変更要求を送信する機能を有することを特徴とする健康診断予約管理システム。
【請求項９】
請求項１〜８のいずれか１項に記載の健康診断予約管理システムにおいて、
上記健康診断受診者端末は、健康診断管理センタ機器から送信された健康診断実施機関のオプション案内を受信する機能と、当該オプション受診の申込みを送信する機能とを有することを特徴とする健康診断予約管理システム。
【請求項１０】
受診予約情報を格納するＤＢ機器及び健康診断受信者端末とで、ネットワーク回線を介して接続した健康診断実施機関機器及び受診者上長機器との健康診断予約情報を送受信する健康診断予約管理システムを構成する健康診断管理センタ機器において、
前記健康診断実施機関機器から送信された健康診断日程情報を元に健康診断受診者端末に受診予約募集情報を送信する機能と、健康診断受診者機器からの予約変更希望情報を受信する機能とを有し、前記ＤＢ機器は、健康診断管理センタ機器が受信した予約変更希望情報を元に受診予約情報を変更する機能を有することを特徴とする健康診断管理センタ機器。
【請求項１１】
健康診断管理センタ機器及び受診予約情報を格納するＤＢ機器とで、ネットワーク回線を介して接続した健康診断実施機関機器及び受診者上長機器との健康診断予約情報を送受信する健康診断予約管理システムを構成する健康診断受信者機器において、
上記健康診断管理センタ機器から送信された健康診断受診者の受診日程情報を表示する機能と、受診に都合の悪い場合は健康診断管理センタ機器に受診日程の変更要求を送信する機能を有することを特徴とする健康診断受診者端末。
【請求項１２】
受診予約情報を格納するＤＢ機器及び健康診断受信者端末とで、ネットワーク回線を介して接続した健康診断実施機関機器及び受診者上長機器との健康診断予約情報を送受信する健康診断予約管理システムを構成する健康診断管理センタ機器に使用されるコンピュータ・ソフトウエアであって、
前記健康診断実施機関機器から送信された健康診断日程情報を元に健康診断受診者端末に受診予約募集情報を送信する機能と、健康診断受診者機器からの予約変更希望情報を受信する機能とを有し、前記ＤＢ機器は、健康診断管理センタ機器が受信した予約変更希望情報を元に受診予約情報を変更する機能とをコンピュータに実現させるプログラムからなるコンピュータ・ソフトウエア。
【発明の詳細な説明】
【０００１】
【発明の属する技術分野】
本発明は、健康診断予約管理システム及び健康診断管理センタ機器と健康診断受診者端末並びにコンピュータ・ソフトウエアであり、特に企業等で実施される健康診断の予約を管理するシステムに関する。
【０００２】
【従来の技術】
企業などでは、従業員の健康管理として健康診断を実施しており、健康診断管理者は、健康診断を指定健康診断実施機関に予約し、かつ、当該従業員に指定した日程を連絡し受診させる法的責任を負っている。このため、当該従業員が受診したかを把握する必要があり、未受診の場合は受診終了までフォローする必要がある。また、健康診断受診者から予約変更の希望があった場合、限られた日程の枠の中で予約の変更等の調整作業を、発生の都度担当者が手作業で実施せざるを得ず、繁雑な作業となっていた。
【０００３】
【発明が解決しようとする課題】
本発明は、従来の問題を解決するものであり、従業員の健康診断受診の管理作業等を簡単に実施することができる健康診断予約管理システム及び健康診断管理センタ機器と健康診断受診者端末並びにコンピュータ・ソフトウエアを提供することを目的とする。
【０００４】
【課題を解決するための手段】
本発明は、健康診断管理センタ機器と、受診予約情報を格納するＤＢ機器と、健康診断受診者端末とを備え、これらの機器とネットワーク回線を介して接続した健康診断実施機関機器等とで健康診断予約情報を送受信する健康診断予約管理システムにおいて、前記健康診断管理センタ機器は、健康診断実施機関機器から送信された健康診断日程情報を元に健康診断受診者端末に受診予約募集情報を送信する機能と、健康診断受診者端末からの予約変更希望情報を受信する機能とを有し、前記ＤＢ機器は、健康診断管理センタ機器が受信した予約変更希望情報を元に受診予約情報を変更する機能を有する健康診断予約管理システムである。
【０００５】
また、本発明は、上記健康診断管理センタ機器は、健康診断日程を管理する機能と、予め定められた期日になると健康診断受診者への問診表／検診機材の送付を指示する機能と、健康診断実施機関のオプション案内を送信する機能とを有する健康診断予約管理システムである。
【０００６】
そして、本発明は、上記健康診断管理センタ機器は、健康診断申込み期限が近づくと予約状況を確認し、未予約者を抽出し、健康診断受診者端末と受診者上長機器に予約未実施である旨の警告を送信する機能を有する健康診断予約管理システムである。
【０００７】
更に、本発明は、上記健康診断管理センタ機器は、健康診断受診者端末から日程の変更要求を受信すると、ＤＢ機器から受取った空き情報を当該健康診断受診者端末に送信する機能を有する健康診断予約管理システムである。
【０００８】
また、本発明は、上記健康診断管理センタ機器は、健康診断実施機関機器から健康診断受診状況情報を受信する機能と、当日受診しなかった対象者情報を健康診断管理者機器に送信する機能を有する健康診断予約管理システムである。
【０００９】
そして、本発明は、上記健康診断管理者機器は、当日受診しなかった対象者の上長を検索し当該受診者上長機器に警告を送信する機能を有する健康診断予約管理システムである。
【００１０】
更に、本発明は、上記健康診断管理センタ機器は、健康診断実施機関機器からの健康診断受診料金請求情報を受信する機能を有する健康診断予約管理システムである。
【００１１】
また、本発明は、上記健康診断受診者端末は、健康診断管理センタ機器から送信された健康診断受診者の受診日程情報を表示する機能と、受診に都合の悪い場合は健康診断管理センタ機器に受診日程の変更要求を送信する機能を有する健康診断予約管理システムである。
【００１２】
そして、本発明は、上記健康診断受診者端末は、健康診断管理センタ機器から送信された健康診断実施機関のオプション案内を受信する機能と、当該オプション受診の申込みを送信する機能とを有する健康診断予約管理システムである。
【００１３】
更に、本発明は、受診予約情報を格納するＤＢ機器及び健康診断受信者端末とで、ネットワーク回線を介して接続した健康診断実施機関機器及び受診者上長機器との健康診断予約情報を送受信する健康診断予約管理システムを構成する健康診断管理センタ機器において、前記健康診断実施機関機器から送信された健康診断日程情報を元に健康診断受診者端末に受診予約募集情報を送信する機能と、健康診断受診者機器からの予約変更希望情報を受信する機能とを有し、前記ＤＢ機器は、健康診断管理センタ機器が受信した予約変更希望情報を元に受診予約情報を変更する機能を有する健康診断管理センタ機器である。
【００１４】
また、本発明は、健康診断管理センタ機器及び受診予約情報を格納するＤＢ機器とで、ネットワーク回線を介して接続した健康診断実施機関機器及び受診者上長機器との健康診断予約情報を送受信する健康診断予約管理システムを構成する健康診断受信者機器において、上記健康診断管理センタ機器から送信された健康診断受診者の受診日程情報を表示する機能と、受診に都合の悪い場合は健康診断管理センタ機器に受診日程の変更要求を送信する機能を有する健康診断受診者端末である。
【００１５】
そして、本発明は、受診予約情報を格納するＤＢ機器及び健康診断受信者端末とで、ネットワーク回線を介して接続した健康診断実施機関機器及び受診者上長機器との健康診断予約情報を送受信する健康診断予約管理システムを構成する健康診断管理センタ機器に使用されるコンピュータ・ソフトウエアであって、前記健康診断実施機関機器から送信された健康診断日程情報を元に健康診断受診者端末に受診予約募集情報を送信する機能と、健康診断受診者機器からの予約変更希望情報を受信する機能とを有し、前記ＤＢ機器は、健康診断管理センタ機器が受信した予約変更希望情報を元に受診予約情報を変更する機能とをコンピュータに実現させるプログラムからなるコンピュータ・ソフトウエアである。
【００１６】
【発明の実施の形態】
本発明の実施の形態を説明する。
健康診断予約管理システム及び健康診断管理センタ機器と健康診断受診者端末の実施例について、図１〜図５を用いて説明する。図１は、実施例の健康診断予約管理システムの説明図である。図２は、実施例の健康診断予約管理システムにおける計画設定の一例の説明図である。図３は、実施例の健康診断予約管理システムにおける予約募集の一例の説明図である。図４は、実施例の健康診断予約管理システムにおける予約申込みの一例の説明図である。図５は、実施例の健康診断予約管理システムにおける予約変更申込みの一例の説明図である。
【００１７】
実施例を説明する。本実施例の健康診断管理システムは、図１に示すように、健康診断予約管理センタ機器１、ＤＢ機器２、健康診断受診者端末４、健康診断管理者機器５、受診者上長機器６を備えており、これらの機器は、公衆回線、ＬＡＮ等のネットワーク回線７を介して、健康診断実施機関機器３等と接続され、健康診断予約情報を送受信する。
【００１８】
健康診断予約管理センタ機器１は、例えばサーバであり、（ａ）健康診断実施機関機器３から送信された健康診断日程情報を元に健康診断受診者端末４に受診予約募集情報を送信する機能、（ｂ）健康診断受診者端末４からの予約変更希望情報を受信する機能、（ｃ）健康診断日程を管理する機能、（ｄ）予め定められた期日になると健康診断受診者への問診表／検診機材の送付を指示する機能、（ｅ）健康診断実施機関のオプション案内を送信する機能、（ｆ）健康診断申込み期限が近づくと予約状況を確認し、未予約者を抽出し、健康診断受診者端末４と受診者上長機器６に予約未実施である旨の警告を送信する機能、（ｇ）健康診断受診者端末４から日程の変更要求を受信すると、ＤＢ機器２から受取った空き情報を当該健康診断受診者端末４に送信する機能、（ｈ）健康診断実施機関機器３から健康診断受診状況情報を受信する機能、（ｉ）当日受診しなかった対象者情報を健康診断管理者機器５に送信する機能、（ｊ）当日受診しなかった対象者の上長を検索し当該受診者上長機器６に警告を送信する機能、（ｋ）健康診断実施機関機器３からの健康診断受診料金請求の情報を受信する機能等を有する。
【００１９】
ＤＢ機器２は、（ａ）健康診断管理センタ機器１が受信した予約変更希望情報を元に受診予約情報を変更する機能、（ｂ）健康診断管理センタ機器１からの問合せに対し、健康診断日程における空き情報を送信する機能等を有する。
【００２０】
健康診断受診者端末４は、健康診断を受信する者が使用するパソコン、携帯電話機等であり、（ａ）健康診断管理センタ機器１から送信された受診予約募集情報を受信する機能、（ｂ）健康診断管理センタ機器１から送信された予約未実施である旨の警告を受信する機能、（ｃ）健康診断管理センタ機器１から送信された健康診断日程における空き情報を受信する機能、（ｄ）健康診断管理センタ機器１から送信された健康診断受診者の受診日程情報を表示する機能、（ｅ）受診に都合の悪い場合は健康診断管理センタ機器１に受診日程の変更要求を送信する機能、（ｆ）健康診断管理センタ機器１から送信された健康診断実施機関のオプション案内を受信する機能、（ｇ）オプション受診の申込みを送信する機能等を有する。
【００２１】
健康診断管理者機器５は、健康診断管理者が使用するパソコン等であり、（ａ）健康診断管理センタ機器１から送信する健康診断受診状況情報を受信する機能、（ｂ）当日受診しなかった対象者情報を受信する機能、（ｃ）当日受診しなかった対象者の上長を検索し当該受診者上長機器６に警告を送信する機能等を有する。
【００２２】
受診者上長機器６は、健康診断受信者の上長が使用するパソコン等であり、（ａ）健康診断管理センタ機器１から部下の健康診断予約が未実施である旨の警告を受信する機能、（ｂ）部下が当日健康診断を受診しなかった旨の警告を受信する機能等を有する。
【００２３】
実施例の健康診断予約管理システムによる健康診断計画設定の一例について、図２のフローチャートを用いて説明する。なお、設定する項目としては、健診科目、日付、受診可能人数等であり、対象者の名簿順（社員Ｎｏ、年令、職制）や前年実績を元に自動割付けすることができる。
Ｓ１０１）スタートする。
Ｓ１０２）健康診断実施機関から受診者枠を入手し、ＤＢ機器に登録する。
Ｓ１０３）対象者名簿を元にＤＢ機器に自動割付けする。
Ｓ１０４）健康診断実施機関毎の締切日を登録する。
Ｓ１０５）最終締切日を登録する。
Ｓ１０６）終了となる。
このようにして、健康診断予約管理システムによる健康診断計画設定を行うことができる。
【００２４】
実施例の健康診断予約管理システムによる健康診断管理センタの予約募集の手順の一例について、図３のフローチャートを用いて説明する。
Ｓ２０１）スタートする。
Ｓ２０２）健康診断実施機関機器への予約データ送信日か判断し、送信日であるとステップＳ２１１に進み、送信日ではないとステップＳ２２１に進む。
Ｓ２１１）ＤＢ機器から予約データを読出し健康診断実施機関機器へ送付し、ステップＳ２２１に進む。
Ｓ２２１）アラーム送信日か判断し、送信日であるとステップＳ２３１に進み、送信日ではないとステップＳ２４１に進む。
Ｓ２３１）全健康診断対象者が予約済みかチェックし、未予約者及びその上長にアラームを送信する。
Ｓ２４１）受診実績を入手し、ＤＢ機器に登録する。
Ｓ２４２）未予約者、未実施者リストを作成表示する。
Ｓ２４３）最終締切か判断し、締切であるとステップＳ２５１に進み、締切ではないとステップＳ２０２に戻る。
Ｓ２５１）未予約者、未実施者の人数を算出する。
Ｓ２５２）未予約者、未実施者が残り枠をオーバーしているか判断し、オーバーであるとステップＳ２６１に進み、オーバーではないとステップＳ２７１に進む。
Ｓ２６１）未予約者、未実施者リストを作成し、健康診断管理者機器にアラームを送信する。
Ｓ２７１）未予約者、未実施者機器及びその上長機器にアラームを送信する。
Ｓ２７２）終了となる。
このようにして、健康診断予約管理システムによる健康診断管理センタの予約募集を行うことができる。
【００２５】
実施例の健康診断予約管理システムによる健康診断受診者の予約申込みの手順の一例について、図４のフローチャートを用いて説明する。
Ｓ３０１）スタートする。
Ｓ３０２）端末で現在の予約状況を確認し、希望の健康診断実施機関、健康診断日、健康診断オプションを選択して送信する。
Ｓ３０３）ＤＢ機器に選択内容を格納する。
Ｓ３０４）他の予約希望が有るか判断し、有るとステップＳ３１１に進み、ないとステップＳ３２１に進む。
Ｓ３１１）予約データを他の予約システムに登録する。
Ｓ３２１）終了となる。
このようにして、健康診断予約管理システムによる健康診断受診者の予約申込みを行うことができる。
【００２６】
実施例の健康診断予約管理システムによる健康診断受診者の予約変更申込みの手順の一例について、図５のフローチャートを用いて説明する。
Ｓ４０１）スタートする。
Ｓ４０２）本人の現予約情報を表示する。
Ｓ４０３）予約変更か判断し、変更であるとステップＳ４１１に進み、変更ではないとステップＳ４２１に進む。
Ｓ４１１）ＤＢ機器から現在の予約状況一覧を表示する。
Ｓ４１２）新予約日を選択する。
Ｓ４１３）ＤＢ機器の予約情報を更新する。
Ｓ４１４）予約データを他の予約システムに送信し、ステップＳ４４１に進む。
Ｓ４２１）取消か判断し、取消であるとステップＳ４３１に進み、取消でないとステップＳ４４１に進む。
Ｓ４３１）ＤＢ機器から現予約情報を消去する。
Ｓ４４１）終了となる。
このようにして、健康診断予約管理システムによる健康診断受診者の予約変更申込みを行うことができる。
【００２７】
なお、上記実施例では、健康診断予約管理システムを説明したが、健康診断実施機関機器から送信された健康診断日程情報を元に健康診断受診者端末に受診予約募集情報を送信する機能と、健康診断受診者機器からの予約変更希望情報を受信する機能とを有し、前記ＤＢ機器は、健康診断管理センタ機器が受信した予約変更希望情報を元に受診予約情報を変更する機能とをコンピュータに実現させるプログラムからなるコンピュータ・ソフトウエアを使用することにより、サーバ等を本発明の健康診断管理センタ機器とすることができる。
【００２８】
【発明の効果】
本発明によれば、従業員の健康診断受診の管理作業等を簡単に実施することができる健康診断予約管理システム及び健康診断管理センタ機器と健康診断受診者端末を得ることができる。
【図面の簡単な説明】
【図１】実施例の健康診断予約管理システムの説明図。
【図２】実施例の健康診断予約管理システムにおける計画設定の一例の説明図。
【図３】実施例の健康診断予約管理システムにおける予約募集の一例の説明図。
【図４】実施例の健康診断予約管理システムにおける予約申込みの一例の説明図。
【図５】実施例の健康診断予約管理システムにおける予約変更申込みの一例の説明図。
【符号の説明】
１  健康診断予約管理センタ機器
２  ＤＢ機器
３  健康診断実施機関機器
４  健康診断受診者端末
５  受診者上長機器
６  健康診断管理者機器
７  ネットワーク回線
【図１】
2004246594.tif 000003
【図２】
2004246594.tif 000004
【図３】
2004246594.tif 000005
【図４】
2004246594.tif 000006
【図５】
2004246594.tif 000007